(57)【要約】【課題】石製の立設開閉させる観音開き式の扉の支持機構において、加工の寸法精度が悪くとも組立が容易であり、組立後にも両扉の開閉のタイミング等を図ることなく簡易、軽快な扉の開閉を確保する扉の開閉機構を提供する。【解決手段】各扉に離隔距離をもって立設配置する連結軸と、扉面から鉛直方向に外れて水平配置すると共に、前記の各連結軸が挿入する長孔状の連結口を閉時の扉面方向に形成した引出板と、から成り、該引出板の開時の扉面方向に直動可能に構成する。各扉には、扉の下端部から香炉内部側に略水平に延出する台座を形成すると共に、該台座の下面側に連結軸を配置する。また、扉の回動軸の軸部を下部にのみに形成し、引出板には安定動作確保及び直動補助のための滑動手段を配置しても良い。【選択図】      図１
2007231544.tif 000002
【特許請求の範囲】
【請求項１】
立設した回動軸をもって開閉する観音開き式の扉であって、
各扉に離隔距離をもって立設配置する連結軸と、
扉面から鉛直方向に外れて水平配置すると共に、各連結軸を挿入する長孔状の連結口を閉時の扉面方向に形成した引出板と、
から成り、該引出板を開時の扉面方向に直動可能にしたことを特徴とする扉の開閉機構。
【請求項２】
扉の下端部から連結軸の配置側に略水平に延出する台座を形成すると共に、該台座に連結軸を配置したことを特徴とする請求項１記載の扉の開閉機構。
【請求項３】
扉の回動軸の軸部を下部にのみ形成したことを特徴とする請求項１、又は２記載の扉の開閉機構。
【請求項４】
引出板に、開時の扉面方向への滑動手段を配置したことを特徴とする請求項１、２又は３記載の扉の開閉機構。
【発明の詳細な説明】
【技術分野】
【０００１】
本願発明は、立設する観音開き式（両開き式）の扉の開閉機構の分野に属し、特に、各扉が連結する板体の直動に連動して開閉する扉の開閉機構に関する。
【背景技術】
【０００２】
墓石の前に配置される香炉（又は香炉箱）の種々構成として経机型香炉の天面板の下部に、焼香時の雨風防止のため、及び線香や香炉皿等の葬祭用品の収納空間確保のために観音開き式に取り付けた扉がある。
【０００３】
かかる香炉の扉は、通常、墓石と同じ石製であるが、製作や組立が容易であること、さらには開閉動作を軽快に行える利点を鑑みて、加工が難しく重い石製の扉ではなく軽いステンレス製としたものがある（例えば、特許文献１参照。）。
【０００４】
このステンレス製の扉を採用する香炉は、前面に観音開きの扉を配置した箱体から成り、墓石の前面に設けた凹所に嵌装して配置されている。この香炉は、両扉の開動作に連動して蝋燭立てや線香皿を配置する香炉内に収納された上台板を前面に引き出す構成である。具体的には、各扉の下辺から箱内部へ一体的に形成した台座に配置した突起を、上台板の左右方向に形成したガイド溝に挿入するリンク機構を採用している。
【特許文献１】特開２００５−２４０５３９（第３−５頁、第１図）
【発明の開示】
【発明が解決しようとする課題】
【０００５】
かかるステンレス製の香炉を石製の墓石に配置しても、外観としての全体的な統一感及び荘厳さに欠ける点があるのは否めないものであった。元来、墓石は死者を弔う碑であるため、遺族にとっては荘厳かつ重厚な雰囲気の外観を望むものである。
【０００６】
しかしながら、特許文献１の香炉を石製で構成した場合には、以下の問題点があった。すなわち、石材から扉の回動軸、突起、上台板のガイド溝等を寸法精度良く加工することは、非常に手間がかかるばかりか困難な点が多く、組立作業も熟練した技能を必要とする問題があった。
【０００７】
また、組立後においては、両扉をほぼ同じタイミングで開閉する必要があり、例えば、一方側の扉の開閉のみではリンク機構により上台板に作用する力が偏り、所謂「ガタ」が発生する。この「ガタ」は軽量なステンレス製の扉及び上台板であれば開閉動作確保の大きな問題とはならないが、重量のある石製の場合には上台板の引き出し及び扉の開閉が困難又は不可能となる問題があった。
【０００８】
そこで、本願発明は上記課題を解決するために為されたものであり、石製の立設開閉させる観音開き式の扉の支持機構において、加工の寸法精度が悪くとも組立が容易であり、組立後にも両扉の開閉のタイミング等を図ることなく簡易、軽快な扉の開閉を確保する扉の開閉機構を提供する。
【課題を解決するための手段】
【０００９】
上記課題を解決するため、立設した回動軸をもって開閉する観音開き式の扉を有する石製香炉の扉の開閉機構は、以下のように構成している。
【００１０】
すなわち、各扉に離隔距離をもって立設配置する連結軸と、扉面から鉛直方向に外れて水平配置すると共に、前記の各連結軸が挿入する長孔状の連結口を閉時の扉面方向に形成した引出板と、から成り、該引出板の開時の扉面方向に直動可能にしたことを特徴としている。この構成により、引出板の直動に連動して連結軸が連結口の内部を移動し、この連結軸の移動が扉を回動させることとなる。
【００１１】
各扉には、扉の下端部から連結軸の配置側、つまり香炉内部側に略水平に延出する台座を形成すると共に、該台座の例えば下面側に連結軸を配置したことを特徴としている。この台座は線香立てや鈴等を載置する載置面となり、扉の開閉に伴って香炉の前方に迫り出してくるために焼香の準備等にも便利である。
【００１２】
また、好ましくは扉の回動軸の軸部を下部にのみ形成した構成としたことを特徴としている。この構成は採用すれば、扉の上下に貫通、又は別個に回動軸を配置する場合に比べ、回動軸の同軸度等の加工精度を低く設定することも可能となる。さらに、引出板には安定動作確保及び直動補助のための滑動手段、例えば、ステンレス製のスライドレールを配置しても良い。
【発明の効果】
【００１３】
本願発明の扉の開閉機構は上記の構成であるため、以下の効果を発揮する。
すなわち、引出板の開時の扉面方向（香炉の前後方向）へ直線移動させる一つの動作に連動して左右の扉が開閉することとなり、扉の開閉自体を確保するために各扉の開閉タイミングを調整する必要が無い。このため、従来では構成が難しかった石製の扉による開閉機構に採用することが可能であり、外観上の荘厳さを維持しつつも軽快な扉の開閉を確保できる効果を奏する。
【００１４】
また、扉の回動軸を下部にのみ構成しているため、石製扉、引出板、他の石製構成要素の加工精度が低くとも、組立が容易となる効果もある。
【００１５】
さらには、扉に内側に形成した台座には、線香立てや鈴等を配置することができ、この扉を香炉に採用した場合には焼香時に便利である上、見栄えも良い効果を奏する。
【発明を実施するための最良の形態】
【００１６】
以下、本願発明に係る扉の開閉機構Ｓ（以下、「本機構」と称する。）の具体的実施例について、図面に基づき詳細に説明する。
【００１７】
図１は本機構を示す一部切り欠き斜視図であり、図２は本機構を示す断面図であり、図３は本機構の作用を示す平面図（Ａ）、（Ｂ）、（Ｃ）であり、図４は墓石の外観を示す斜視図である。
【００１８】
まず、一般的に香炉１とは、図４に示すように、墓石Ｇの前面側に配置する経机の外観を呈した石製の構造物である。かかる香炉１は、板状の基台１１に平面コ字状の立枠１２を立設し、この立枠１２の上面側を覆うように天面板１３を配置し、立枠１２の開放面側に２枚の扉１４、１４を立設状の観音開き式に配置して構成している。本実施例の各扉１４、１４には透かし彫り１４ａの意匠が施されており、荘厳さと美観を向上させている。また、各扉１４、１４の合わせ部の一方側には他方の端部の当て面を形成している。かかる構成による香炉１は、扉１４により仕切られた収納空間を有し、この空間に棚板７１に載置する香炉皿７などの葬祭用品を収納している。
【００１９】
本機構Ｓは、上記香炉１の前面側に回動自在に配置する観音開きの扉１４と、扉１４の下部側に水平配置した引出板４とを連結させ、引出板４の開時の扉面の方向の移動に連動させて開閉させる構成である。以下、扉１４及び引出板４の詳細を説明するが、香炉１を基準として開時の扉面方向を「前後方向」、閉時の扉面方向を「左右方向」として規定して説明する。
【００２０】
各扉１４、１４は、基台１１の取付部１１ａに回動軸２をもって回動自在に配置している。取付部１１ａは、基台１１の左右両端側であって、基台１１の前後方向に盛り上げるように形成した台状体である。取付部１１ａは、前側の一部分を回動軸２を配置するスペースとしているが、この部分を除く殆どは立枠１２の載置するスペースとなっている。かかる配置により、各扉１４、１４は正面視において基台１１の上面部に対して取付部１１ａの高さ寸法分の離隔距離を有することとなる。
【００２１】
回動軸２は、基台１１の取付部１１ａの開孔に嵌合させて立設した挿入軸２１を、扉１４の下端側の開孔に嵌合させて配置した軸受部２２に挿入することにより構成している。また、挿入軸２１及び軸受部２２は配置高さ設定のためのフランジを側面に形成している。
【００２２】
各扉１４、１４の下端縁側からは、香炉１の後方側（香炉の収納空間）に略水平に延出する略台形状の台座１４ｂを形成している。この台座１４ｂの上面側には、図示するように線香立て５や鈴６を載置することが可能であり、下面側には連結軸３を下方側に突出するように配置している。なお、連結軸３は、後述する引出板４の連結口４２に上方から挿入して扉１４と引出板４の連結状態を成している。
【００２３】
引出板４は、基台上面に形成した２箇所の取付部１１ａ、１１ａによって挟まれるように水平状態にて配置する板体である。この引出板４は、正面視において、扉面から下方に外れた（逸脱した）位置、つまり基台上面と扉下端の間隙を埋めるように配置されることとなる。なお、引出板４は両側を取付部１１ａに挟まれて配置されるため、移動は前後方向のみに拘束（規定）されることとなる。
【００２４】
また、引出板４は、前辺を扉面より前側に突出させると共に左右方向に拡げ、さらに下方に折り曲げて略Ｌ字状の形態を呈す取手部４１を形成している。前辺の拡げた両端部は取付部１１ａの前面に当接して、後方への移動を阻止する所謂ストッパーとなっている。
【００２５】
引出板４の略中央部の２箇所には、長孔状を成す連結口４２、４２を左右方向に開設している。この連結口４２には、扉１４の台座１４ｂに配置した連結軸３が上方からそれぞれ挿入されており、この結果、扉１４と引出板４が連結状態を構成している。
【００２６】
加えて、引出板４の裏面側、つまり基台上面との当接面には滑動手段としてスライドレール４３を前後方向に平行させて２本配設している。このスライドレール４３の配設は省略することも可能であるが、引出板４の前後方向の移動を円滑にするために配設することが望ましい。
【００２７】
なお、回動軸２、連結軸３、スライドレール４３の各構成要素は、滑動性や耐久性等を考慮して、墓石Ｇや香炉１と同じ石材ではなくステンレス等の金属若しくは合成樹脂、又はこれらの組み合わせから形成するのが好ましいものである。本実施例では、上記の各構成要素はステンレス材から形成して配置している。
［作用］
【００２８】
上記構成の本機構Ｓは、以下のように作用させて使用に供する。
まず、引出板４の前面部の取手部４１を持ち、前方向へ引き出しを開始する（矢印ａ）。引出板４は基台１１の取付部１１ａ及びスライドレール４３により移動が前後方向にのみ拘束されるため、左右に大きく振れることなく前方に移動する。
【００２９】
この引出板４の前方向の動きに伴って、引出板４の２箇所の連結口４２は挿入した各連結軸３を前方向に移動させる。これと同時に、各連結軸３と台座１４ｂを介して一体である左右の各扉１４、１４は、各回動軸２、２を中心軸として前方へほぼ同じ角度で回動し（矢印ｂ）、言わば観音開きする。なお、連結軸３は、回動軸２を中心とする円軌道上を移動するため、その左右方向の移動は連結口４２によって拘束されることとなる。したがって、扉１４の開き角度は、連結口４２の左右方向の端部位置と連結口４２の前後方向の位置とによって規定されることとなる。
【００３０】
上記の扉１４を開いた状態では、引出板４に載置した香炉皿７、扉１４の台座１４ｂに配置した線香立て５や鈴６が香炉１の閉時の扉面より前側に引き出されることとなり、焼香の準備や動作を容易に行うことができる。
【００３１】
焼香等が終了したら、引出板４を後方向に押し込めるように移動させ、これに連動する各扉１４、１４が上記と逆に回動して閉じることとなる。
【図面の簡単な説明】
【００３２】
【図１】本機構を示す一部切り欠き斜視図である。
【図２】本機構を示す断面図である。
【図３】本機構の作用を示す平面図（Ａ）、（Ｂ）、（Ｃ）である。
【図４】墓石の外観を示す斜視図である。
【符号の説明】
【００３３】
Ｓ  本機構
１  香炉
１１  基台
１１ａ  取付部
１２  立枠
１３  天面板
１４  扉
１４ａ  透かし彫り
１４ｂ  台座
２  回動軸
２１  挿入軸
２２  軸受部
３  連結軸
４  引出板
４１  取手部
４２  連結口
４３  スライドレール
５  線香立て
６  鈴
７  香炉皿
７１  棚板
Ｇ  墓石
【図１】
2007231544.tif 000003
【図２】
2007231544.tif 000004
【図３】
2007231544.tif 000005
【図４】
2007231544.tif 000006